(57)【特許請求の範囲】
【請求項１】
ホルダーに記録媒体を内蔵したカートリッジを挿入して装填する記録再生装置であって、
前記ホルダー内にて移動可能で前記カートリッジを受け止める壁部と挿入された前記カートリッジの凹部に係合して保持するバネ部を有しかつ挿入されたカートリッジに押されて前記ホルダーの奥端へスライドする係合部材と、
前記ホルダーにおける前記係合部材の位置によってカートリッジの挿入初期区間ではカートリッジ挿入方向への移動が規制されカートリッジの挿入終了の直前区間ではカートリッジ挿入方向への移動の規制が解除される第１のスライダと、
前記ホルダーにおける前記係合部材の位置によってカートリッジの挿入初期区間から挿入終了の直前区間では前記係合部材と一体的に移動し、挿入終了の直前区間からでは挿入終了区間では係合部材との前記一体的な移動状態が解除され前記ホルダーの側に係合して移動が規制される第２のスライダと、
前記第１のスライダと前記第２のスライダとの間に掛け渡された引っ張りばねとを設け、
前記カートリッジ挿入の初期位置から前記引っ張りばねに力を蓄えながら挿入し、挿入終了の直前区間から挿入終了区間への挿入はカートリッジを前記引っ張りばねに蓄えられた引っ張り力で引き込み、イジェクト時に前記引っ張りばねに蓄えられた引っ張り力でカートリッジを排出方向へ押し出してカートリッジが露出する位置まで排出すると共に、この排出位置で前記カートリッジは前記係合部のバネ部の保持力で保持されたままであり、この状態からのカートリッジの取り出し時に前記引っ張りばねに力を蓄えて前記係合部材を初期位置とするように構成した記録再生装置。
【発明の詳細な説明】
【０００１】
【発明の属する技術分野】
本発明は、本体のホルダーに記録媒体の入ったカートリッジを装填して前記記録媒体に対して記録の実行、または前記記録媒体からの再生を実行する記録再生装置に関する。
【０００２】
【従来の技術】
この種の記録再生装置としては、図１７〜図１９に示す形式（昇降タイプと称す）と図２０に示す形式（回動タイプと称す）が存在している。
図１７に示す昇降タイプは、カートリッジ７の装填の前後で、ホルダー８が取り付けられた可動キャビネット１が、本体キャビネット２に対して図１７（ａ）に示す上昇位置と図１７（ｂ）に示す降下位置とに平行移動する。
【０００３】
図２０に示す回動タイプは、前記ホルダー８が取り付けられた可動キャビネット１が本体キャビネット２の側に回動支点５３を中心に実線で示す開放位置と仮想線で示す閉塞位置とに回動自在に支持されている。
昇降タイプと回動タイプの何れの形式のものも、本体キャビネット２の側に設けられたディスク回転駆動機構と光ピックアップが内蔵されており、装填されたカートリッジ７の記録媒体を回転駆動しながら光ピックアップによって記録／再生を実行している。
【０００４】
ここでは、昇降タイプのポータブルミニディスクプレーヤ（以下、ポータブルＭＤという）の構成を図１８と図１９に基づいて説明する。
図１８（ａ）と図１９に示すように、カートリッジ７を装填する場合には、前面キャビネット６と挿入口蓋４に形成されている傾斜部を有する唇状の開口当接部分Ｇにカートリッジ７を押し付けて図１８（ｂ）のように押し込むと、ネジリコイルバネ３６ａの付勢に抗して挿入口蓋４が閉塞位置から開放位置に回動し、挿入口蓋４の支持アーム４Ｒの先端３８ｅがシャーシ２１に当接してホルダー８の入口側を上方へ持ち上げる。
【０００５】
このとき、リンクアングル１９は切欠部１９ｃと中間キャビネット３８の突部３８ｃとの係合部を第１の支点Ｈ１として回動する。また、ホルダー８の後部はリンク板１８Ｒ，１８Ｌを介してシャーシ２１に支持されており、リンクアングル１９が図１８（ａ）から図１８（ｂ）に回動することによって、リンク板１８Ｒ，１８Ｌの中間部分がリンクアングル１９の係合片１９ａによって上方へ押し上げられて、リンク板１８Ｒ，１８Ｌの回転支軸２４とシャーシ２１の取付溝２１ａとの係合部を第２の支点Ｈ２としてリンク板１８Ｒ，１８Ｌが回動して、挿入口蓋４の閉塞位置から開放位置に回動に伴ってホルダー８がシャーシ２１に対して平行に上昇する。ホルダー８の背面に切り起こしで形成されたバネ部８ｄ（図１９参照）に抗してカートリッジ７をホルダー８に押し込んで行くと、前面キャビネット６の上縁とカートリッジ７との係合が外れて、カートリッジ７による挿入口蓋４を開放している力が解除されて、挿入口蓋４がネジリコイルバネ３６ａの付勢で閉塞位置に回動するとともに、カートリッジ７が装填されたホルダー８が、ネジリコイルバネ３６ａの付勢によって降下し、カートリッジ７に内蔵されたディスクがディスク駆動ユニットに連結され、ディスクにアクセスできる。なお、昇降タイプの上記の具体的な構成は、本出願人が特願平１０−２５１６８７号によって既に提案している。また、現在では昇降タイプのポータブルＭＤ記録再生装置が市販されている。
【０００６】
【発明が解決しようとする課題】
図１８に示す昇降タイプの場合に、図１９に示すようにホルダー８の背面に切り起こしで形成されたバネ部８ａに抗してカートリッジ７をホルダー８に押し込む深さは、前面キャビネット６の上縁とカートリッジ７との係合が外れて、カートリッジ７による挿入口蓋４を開放する力が解除される最奥部となり、カートリッジ７をこの最奥部まで挿入して初めて挿入口蓋４がネジリコイルバネ３６ａの付勢で閉塞位置に回動するため、指を奥まで差し込んでカートリッジに挿入する操作が必要となる。また、挿入口蓋４とオープン操作釦６ａとに指が邪魔されて挿入操作性が悪くなるという問題がある。
【０００７】
また、図１８に示す昇降タイプと図２０に示した回動タイプの場合の何れの場合も同じであるが、カートリッジ７を取り出す際にカートリッジを指で摘みやすくするためにバネ部８ａが設けられているが、イジェクト釦（昇降タイプの場合にはオープン操作釦６ａ）を操作する場合の本体キャビネット２の姿勢が、特にカートリッジ取出口が水平から下方に向いた状態では、バネ部８ａによって弾かれたカートリッジがホルダーから勢いよく飛び出して、ホルダーから落下する問題がある。
【０００８】
本発明は、カートリッジの装填の操作性を良好にするとともに、イジェクトの際にホルダーからのカートリッジの脱落事故の発生を防止できる記録再生装置を提供することを目的とする。
【０００９】
【課題を解決するための手段】
本発明の記録再生装置は、カートリッジをホルダーへ挿入して装填する場合に、カートリッジが一定位置にまで挿入された時点でカートリッジをホルダー内に引き込む引き込み機構を設けたことを特徴とする。これによりカートリッジ挿抜操作性が良好となる。
【００１０】
【課題を解決するための手段】
本発明の記録再生装置は、ホルダーに記録媒体を内蔵したカートリッジを挿入して装填する記録再生装置であって、前記ホルダー内にて移動可能で前記カートリッジを受け止める壁部と挿入された前記カートリッジの凹部に係合して保持するバネ部を有しかつ挿入されたカートリッジに押されて前記ホルダーの奥端へスライドする係合部材と、前記ホルダーにおける前記係合部材の位置によってカートリッジの挿入初期区間ではカートリッジ挿入方向への移動が規制されカートリッジの挿入終了の直前区間ではカートリッジ挿入方向への移動の規制が解除される第１のスライダと、前記ホルダーにおける前記係合部材の位置によってカートリッジの挿入初期区間から挿入終了の直前区間では前記係合部材と一体的に移動し、挿入終了の直前区間からでは挿入終了区間では係合部材との前記一体的な移動状態が解除され前記ホルダーの側に係合して移動が規制される第２のスライダと、前記第１のスライダと前記第２のスライダとの間に掛け渡された引っ張りばねとを設け、前記カートリッジ挿入の初期位置から前記引っ張りばねに力を蓄えながら挿入し、挿入終了の直前区間から挿入終了区間への挿入はカートリッジを前記引っ張りばねに蓄えられた引っ張り力で引き込み、イジェクト時に前記引っ張りばねに蓄えられた引っ張り力でカートリッジを排出方向へ押し出してカートリッジが露出する位置まで排出すると共に、この排出位置で前記カートリッジは前記係合部のバネ部の保持力で保持されたままであり、この状態からのカートリッジの取り出し時に前記引っ張りばねに力を蓄えて前記係合部材を初期位置とするように構成したことを特徴とする。
【００１３】
以下、本発明の実施の形態を図１〜図１６に基づいて説明する。
図１〜図３は本発明を採用したポータブルＭＤ記録再生装置を示す。
このポータブルＭＤは、ホルダー８を備えた可動キャビネット１が、カートリッジ７を着脱する際に図１（ｂ）と図２（ｂ）に示すように本体キャビネット２の上面開口部から上方へ突出量：ｄだけ移動する昇降タイプの記録再生装置で、カートリッジ７の非装填状態および装着完了状態（記録／再生時を含む）状態では、図１（ａ）と図２（ａ）に示すように可動キャビネット１が本体キャビネット２の内部に移動して沈み込んでキャビネットの厚み方向において近接した状態となっている。３は本体キャビネット２に設けられたディスク駆動ユニットである。２ｂは電池蓋である。
【００１４】
図４及び図５はこのポータブルＭＤの分解斜視図で、可動キャビネット１と本体キャビネット２、ホルダー８と引き込み／排出のための装置は図６に示す固定片１０，係合部材１１を使用して以下に説明するように組み立てられている。
なお、この図５に示す分解図では第１のスライダ１２ａと第２のスライダ１２ｂが、固定片１０と係合部材１１との間に図示されているが、組立状態では仮想線Ｊ１，Ｊ２で示すように係合部材１１の内側から組み付けられる。
【００１５】
図７はカートリッジ７の引き込み／排出を司るユニットの挿入動作時における天面からの断面であり、カートリッジ７は係合部材１１の壁部１１ｆに当接している。このため係合部材１１を図７（ｂ）に示すよう左側に動かせばカートリッジ７は排出される。
この排出にあたっての詳細な動きを図６〜図１０を用いて説明する。
【００１６】
図８と図９は引き込み／排出を司るユニット部分の側面図で、図７は本体キャビネット２に対して可動キャビネット１がその厚み方向において接近した第１の位置（図３ｂの状態）から離脱した第２の位置（図３ａの状態）へと移動して行く途中の排出ユニットを示す。図８は第１の位置から第２の位置へと移動完了後の排出ユニットを示す。
【００１７】
固定片１０は、固定片１０の内側に係合部材１１の可動側溝部１１ａ〜１１ｄが固定片１０の固定側溝部１０ａ〜１０ｄに一致するように配置した状態で、第１，第２のスライダ１２ａ，１２ｂを組み付けた後に、この固定片１０がホルダー８に取り付けられている。
このようにして係合部材１１は、ホルダー８の側にカートリッジ７の挿入方向にスライド移動可能に取り付けられており、係合部材１１には挿入されたカートリッジ７の奥端に係合する壁部１１ｆと、カートリッジ７の側面に形成された凹部７ａ（図１１参照）に係合するバネ部１１ｅと、図６（ｂ）に示すようにカートリッジ７の引き込み／排出を制御する第１〜第４の可動側溝部１１ａ〜１１ｄが形成されている。
【００１８】
ホルダー８に固定される固定片１０は、図６（ａ）に示すように係合部材１１の溝部と対をなして前記カートリッジ７の引き込み／排出を制御する第１〜第４の固定側溝部１０ａ〜１０ｄを有する。
第１，第２のスライダ１２ａ，１２ｂは、これら係合部材１１，固定片１０の可動側と固定側溝部のそれぞれに移動可能な状態で係合して保持されている。
【００１９】
第１，第２のスライダ１２ａ，１２ｂに形成され上記のように組み立てられて固定片１０の第１の固定側溝部１０ａからホルダー８の外側に突出した第１のスライダ１２ａの折曲部１２ａａと、固定片１０の第４の固定側溝部１０ｄからホルダー８の外側に突出した第２のスライダ１２ｂの折曲部１２ｂａとの間に、引っ張りばね９が架張されている。
【００２０】
図１０はカートリッジ７をホルダー８に挿入する前の状態を示し、第１のスライダ１２ａの折曲部１２ａａは固定片１０の第１の固定側溝部１０ａの下辺に形成された段部１０ａａ（図６参照）に係合しており、係合部材１１と第２のスライダ１２ｂは、係合部材１１の第４の可動側溝部１１ｄの後端に設けた係止部１１ｄａ（図６参照）に係合して一体となっている状態で、第２のスライダ１２ｂが引っ張りばね９を介してホルダー８の前側に付勢して、第２のスライダ１２ｂの折曲部１２ｂａが固定片１０の第４の固定側溝部１０ｄの前端面１０ｄｂに当接した状態に付勢されて係合部材１１が安定して図１０に示す状態で停止している。
【００２１】
この状態からカートリッジ７を挿入すると、図１２（ａ）（ｂ）の状態を経て図１２（ｃ）に示すように係合部材１１のバネ部１１ｅが弾性変形してカートリッジ７の凹部７ａに係合し、カートリッジ７の奥端が係合部材１１の壁部１１ｆに当接する。
さらにカートリッジ７の挿入を進めると、上記のように一体となっていた係合部材１１と第２のスライダ１２ｂとが図１３に示すように引っ張りばね９の付勢に抗してホルダー８の奥端に向かってカートリッジ７とともにスライド移動し、カートリッジ７の挿入終了の直前に第２のスライダ１２ｂの折曲部１２ｂａが、固定片１０の第４の固定側溝部１０ｄの後部の段部１０ｄａに図１４に示すように係合し、固定片１０の第１の固定側溝部１０ａの段部１０ａａに係合してそれまで係止されていた第１のスライダ１２ａの折曲部１２ｂａが、その直後に係合部材１１の第１の可動側溝部１１ａの前端に形成された傾斜部１１ａｂによって上方に押し上げられて図１５に示すように前記係合が解除され、段部１０ａａとの係合の解除された第２のスライダ１２ａの折曲部１２ｂａが、係合部材１１の第１の可動側溝部１１ａの段部１１ａａに係合し、今度は第２のスライダ１２ａと係合部材１１が、固定片１０の第４の固定側溝部１０ｄの後部の段部１０ｄａに係合して係止された第２のスライダ１２ｂの折曲部１２ｂａの側に、引っ張りばね９によって付勢されてホルダー８の奥端側にスライド移動する。
【００２２】
この状態の係合部材１１は、図１２（ｃ）に示す段階で前記バネ部１１ｅがカートリッジ７に係合しているので、係合部材１１が引っ張りばね９によって付勢されてホルダー８の奥端側にスライド移動することによって、カートリッジ７が引っ張りばね９の付勢力だけでホルダー８の奥端側に自動的に引き込まれ始める。
【００２３】
固定片１０の第１，第２の固定側溝部１０ａ，１０ｂに沿ってスライド中の第１のスライダ１２ａの折曲部１２ａａは、固定片１０の第１の固定側溝部１０ａの傾斜部１０ａｂを引っ張りばね９の付勢力で下方に移動することによって係合部材１１の段部１１ａａとの係合が解除されて、図１６に示すように第１のスライダ１２ａの折曲部１２ａａが固定片１０の第１の固定側溝部１０ａの後端１０ａｃに当接して係止されて、カートリッジ７のほぼ挿入終了位置にまで達した係合部材１１と第１のスライダ１２ａとの係合が解除されて、引っ張りばね９による係合部材１１の付勢が解除される。
【００２４】
なお、係合部材１１が挿入終了位置にまで達して上記のように固定片１０の第４の固定側溝部１０ｄの後部の段部１０ｄａと第２のスライダ１２ｂの折曲部１２ｂａとの係合状態は、第２のスライダ１２ｂに形成されたばね部１２ｂｃが、図５に示すようにホルダー８に形成されたガイド片８ｂの上部に乗り上げた状態になって、折曲部１２ｂａを上方に付勢して不用意に固定片１０の第４の固定側溝部１０ｄの後部の段部１０ｄａとの係合状態が解除されないように考慮されてその信頼性を高めている。
【００２５】
このようにカートリッジ７が引っ張りばね９の付勢力だけでホルダー８の奥端側に引き込まれて、カートリッジ７の前端部と前面キャビネット６との係合が外れると、ホルダー８を有する可動キャビネット１が突出量：ｄだけ下降して図２（ａ）に示すように記録／再生が可能な状態になる。
次に、記録／再生状態からカートリッジ７を排出するイジェクト動作を説明する。
【００２６】
本体キャビネット２には、図８に示すように弾性を有するトリガーバネ部５Ｒａがリンク板１８Ｒを介し固定されている。
オープン操作釦６ａおよびオープン操作ユニット６ｂを用いた開放手段により、可動キャビネット１を付勢力に抗して第１の位置から第２の位置に離脱させる方向に移動させると、本体キャビネット２に対して固定したトリガーバネ部５Ｒａと第２のスライダ１２ｂの折曲部１２ｂａとの距離が狭くなって、ついには図８に示すように接触し、第４の固定側溝部１０ｄの後部の段部１０ｄａに係合していた第２のスライダ１２ｂは、トリガーバネ部５Ｒａに押されて段部１０ｄａから外れる。
【００２７】
これにより第２のスライダ１２ｂは引っ張りばね９の付勢力により図９に示すように右側に移動する。これによりトリガーバネ５Ｒａに当たっていたものが無くなるため可動キャビネット１は本体キャビネット２に対して完全に離脱が完了する。
この状態において前記第１のスライダ１２ａと第２のスライダ１２ｂに渡って掛けられている引っ張りばね９の力は未だ有効であるため係合部材１１は更に右に動く。
【００２８】
これによりカートリッジ７は係合部材１１の壁部１１ｆに押されて図７（ａ）から図７（ｂ）と図９に示すようにホルダー８から取り出せる位置まで排出され、カートリッジ７の前端が露出する。
これを利用者が掴んで引っ張ることによってカートリッジ７が取り出されるが、この状態の係合部材１１は、バネ部１１ｅがカートリッジ７の凹部７ａに掛かっているため、カートリッジ７が引っ張られることによって係合部材１１はホルダー８の前側に引っ張られ、係合部材１１の第１の可動側溝部１１ａの後端１１ａｃが第１のスライダ１２ａの折曲部１２ａａに当接して第１のスライダ１２ａを左に移動させ、固定片１０の第１の固定側溝部１０ａの段部１０ａａまで運び、引っ張りばね９に力を蓄えた図１０に示した初期位置に復帰し、バネ部１１ｅが弾性変形してカートリッジ７の凹部７ａから外れてイジェクトが完了する。
【００２９】
このように、カートリッジ７を挿入してホルダー８に装填する際には、図１５に示す位置にまで利用者が手で押し込むだけで、それ以後は引っ張りばね９の付勢力で自動装填され、挿入口蓋４とオープン操作釦６ａとに指が邪魔されて挿入操作性が悪くなるという問題を回避できる。
また、上記実施の形態では、カートリッジ７をイジェクトする際には、係合部材１１のバネ部１１ｅがカートリッジ７の凹部７ａに係合しているので、オープン操作釦６ａを操作する場合の本体キャビネット２の姿勢が、特にカートリッジ取出口が水平から下方に向いた状態であっても、カートリッジ７の落下事故の発生を防止できる。
【００３０】
上記の実施の形態では、前記昇降タイプの記録再生装置の場合を例に挙げて説明したが、図２０に示すような前記回動タイプの記録再生装置であっても同様の考を期待できる。なお、前記回動タイプの場合に上記の昇降タイプの場合と異なるのは、昇降タイプの場合には図８に示したように可動キャビネット１が上昇することによって、本体キャビネット２に設けられたトリガーバネ部５Ｒａに当接して第２のスライダ１２ｂの折曲片１２ｂａの係止を解除したが、回動タイプの場合には、図２０に示す可動キャビネット１が仮想線位置から実線位置に向かって回動することによって、本体キャビネット２に設けられたトリガーバネ部５Ｒａの相当部材が第２のスライダ１２ｂの折曲片１２ｂａの係止を解除するように構成される。
【００３１】
【発明の効果】
以上のように本発明によれば、カートリッジをホルダーへ挿入して装填する記録再生装置において、カートリッジが一定位置にまで挿入された時点でカートリッジをホルダー内に引き込む引き込み機構を設けたため、カートリッジを奥まで手動で挿入する必要が無いため、挿入作業性が大幅に改善される。
【図面の簡単な説明】
【図１】本発明の実施の形態におけるポータブルＭＤの非装着状態および装着完了状態の外観側面図
【図２】同実施の形態の非装着状態および装着完了状態における側面からの断面図
【図３】同実施の形態のポータブルＭＤの斜視図
【図４】同実施の形態のポータブルＭＤの分解斜視図
【図５】同実施の形態のホルダー周辺の分解斜視図
【図６】同実施の形態における固定片と係合部材の側面図
【図７】同実施の形態のカートリッジ排出時における天面からの部分断面図
【図８】同実施の形態のカートリッジ排出時における側面の断面図
【図９】同実施の形態のカートリッジ排出時における側面の断面図
【図１０】同実施の形態のカートリッジ挿入時における側面の断面図
【図１１】カートリッジの斜視図
【図１２】同実施の形態のカートリッジ挿入時における天面からの部分断面図
【図１３】同実施の形態のカートリッジ挿入時における側面の断面図
【図１４】同実施の形態のカートリッジ挿入時における側面の断面図
【図１５】同実施の形態のカートリッジ挿入時における側面の断面図
【図１６】同実施の形態のカートリッジ挿入時における側面の断面図
【図１７】従来の昇降タイプの記録再生装置の外観斜視図
【図１８】同従来例の断面図
【図１９】同従来の要部の分解斜視図
【図２０】従来の回動タイプの記録再生装置の外観斜視図
【符号の説明】
１    可動キャビネット
２    本体キャビネット
５Ｒａ    トリガーバネ部
７    カートリッジ
７ａ    カートリッジ７の側面に形成された凹部
８    ホルダー
８ｂ    ホルダー８に形成されたガイド片
９    引っ張りばね
１０    固定片
１０ａ〜１０ｄ    固定片１０の第１〜第４の固定側溝部
１０ａａ    第１の固定側溝部１０ａの下辺に形成された段部
１０ａｂ    第１の固定側溝部１０ａの傾斜部
１０ａｃ    第１の固定側溝部１０ａの後端
１０ｄａ    第４の固定側溝部１０ｄの後部の段部
１０ｄｂ    第４の固定側溝部１０ｄの前端面
１１    係合部材
１１ａ〜１１ｄ    係合部材１１の第１〜第４の可動側溝部
１１ａａ    第１の可動側溝部１１ａの段部
１１ａｂ    第１の可動側溝部１１ａの前端に形成された傾斜部
１１ｄａ    第４の可動側溝部１１ｄの後端に設けた係止部
１１ｅ    バネ部
１１ｆ    係合部材１１の壁部
１２ａ，１２ｂ    第１，第２のスライダ
１２ａａ    第１のスライダ１２ａの折曲部
１２ｂａ    第２のスライダ１２ｂの折曲部
１２ｂｃ    第２のスライダ１２ｂに形成されたばね部
【図１】
0003625715.tif 000002
【図２】
0003625715.tif 000003
【図３】
0003625715.tif 000004
【図４】
0003625715.tif 000005
【図５】
0003625715.tif 000006
【図６】
0003625715.tif 000007
【図７】
0003625715.tif 000008
【図８】
0003625715.tif 000009
【図９】
0003625715.tif 000010
【図１０】
0003625715.tif 000011
【図１１】
0003625715.tif 000012
【図１２】
0003625715.tif 000013
【図１３】
0003625715.tif 000014
【図１４】
0003625715.tif 000015
【図１５】
0003625715.tif 000016
【図１６】
0003625715.tif 000017
【図１７】
0003625715.tif 000018
【図１８】
0003625715.tif 000019
【図１９】
0003625715.tif 000020
【図２０】
0003625715.tif 000021